(57)【要約】【課題】  従来の回転ライトに比較し小形にでき、モータの回転数を騒音を発生させることなく落とすことができ、長寿命化も実現できるブラシレスモータによる小形回転ライトを提供する。【解決手段】  ブラシレスモータのシャフトに円筒状の貫通シャフト８を用い、該円筒部にＬＥＤ３を内蔵させる。ロータ４の上面に反射板２の基部２ａを取り付ける。貫通シャフト８から出る光は回転する反射板２で反射されて周囲各方向に放射される。上記構成により、低騒音で小形の回転ライトを実現出来る。【選択図】      図１
2007066543.tif 000002
【特許請求の範囲】
【請求項１】
円筒形の貫通シャフトと、
前記円筒形の貫通シャフト内に、円筒上部の開口部から光線を出射するように取り付けられた光源と、
前記貫通シャフトに固着されたベアリングと、
前記ベアリングに固着されたロータと、
反射面が前記円筒上部の開口部上、所定角度で位置付けられるように基部を前記ロータ上面の周辺部に設置した反射板と、
永久磁石とコイルにより形成される磁気回路と、
前記コイルに流れる電流を制御することによりロータを回転駆動する駆動回路とを有し、
前記反射板を回転させることにより光線を周囲に回転出射することを特徴とするブラシレスモータによる小形回転ライト。
【請求項２】
前記光源はＬＥＤであることを特徴とする請求項１記載のブラシレスモータによる小形回転ライト。
【請求項３】
前記光源の前にレンズを設け、光線を収束または拡散することを特徴とする請求項１または２記載のブラシレスモータによる小形回転ライト。
【請求項４】
前記所定角度は略４５度であり、光が反射されて前記反射板で方向変更させられる光の角度は略直角方向であることを特徴とする請求項１，２または３記載のブラシレスモータによる小形回転ライト。
【請求項５】
前記駆動回路はロータの回転速度を調整する調整部を有することを特徴とする請求項１，２，３または４記載のブラシレスモータによる小形回転ライト。
【発明の詳細な説明】
【技術分野】
【０００１】
本発明は、光線を周辺部に回転出力するブラシレスモータによる小形回転ライトに関する。
【背景技術】
【０００２】
全方向に光を放射する光源の周囲に、全周囲の例えば約２／３程度を遮蔽する反射板を設け回転させることにより、光を全方向に回転させながら放射する回転ライトが従来より実用に供されている。これは、反射板を光源の周囲で回転させる構造になるため、小形化に限度があった。
また、実際に光を回転させる速度はモータの回転速度に対し遅いため減速ギヤなどの変速機が必要であり、変速機から発生する騒音が大きくなり、寿命が短いという欠点があった。
【０００３】
特許文献１は上記形式の光回転装置の一例を示す例である。
カバー８２内の中央の位置に取り付けられたランプ１の外側に反射板２が配置されている。反射板２はギアＧ２のピンに連結され、ギアＧ２の回転によりランプ１の周囲を回転する。ベース板４の下面にはステッピングモータ３が取り付けられ、その出力軸はギアＧ１に接続されている。ギアＧ１はギアＧ２に歯合し減速機構２が構成されている。
モータの高速回転は減速され、ランプ１の光は略半分が遮られて周囲に放出される。
【特許文献１】特開平１１−３４６４５６号公報
【発明の開示】
【発明が解決しようとする課題】
【０００４】
ところで、回転ライトを用いる場合、その目的，機能の如何にかかわらず、いずれの装置も、設置場所に制約を受けることが少なく小形に構成できることが必要である。例えば、建物の内部やその周囲に回転ライトを設置して警告などを行うセキュリティシステムでは、セキュリティ装置は小形であれば、必要な個所に容易に取り付けることが可能である。また、動作音も静かで、長寿命であることが要求される。
【０００５】
本発明の目的は、従来の回転ライトに比較し小形にでき、モータの回転数を騒音を発生させることはなく落とすことができ、長寿命化も実現できるブラシレスモータによる小形回転ライトを提供することにある。
【課題を解決するための手段】
【０００６】
前記目的を達成するために本発明の請求項１は、円筒形の貫通シャフトと、前記円筒形の貫通シャフト内に、円筒上部の開口部から光線を出射するように取り付けられた光源と、前記貫通シャフトに固着されたベアリングと、前記ベアリングに固着されたロータと、反射面が前記円筒上部の開口部上、所定角度で位置付けられるように基部を前記ロータ上面の周辺部に設置した反射板と、永久磁石とコイルにより形成される磁気回路と、前記コイルに流れる電流を制御することによりロータを回転駆動する駆動回路とを有し、前記反射板を回転させることにより光線を周囲に回転出射することを特徴とする。
本発明の請求項２は請求項１記載の発明において前記光源はＬＥＤであることを特徴とする。
本発明の請求項３は請求項１または２記載の発明において前記光源の前にレンズを設け、光線を収束または拡散することを特徴とする。
本発明の請求項４は請求項１，２または３記載の発明において前記所定角度は略４５度であり、光が反射されて前記反射板で方向変更させられる光の角度は略直角方向であることを特徴とする。
本発明の請求項５は、請求項１，２，３または４記載の発明において前記駆動回路はロータの回転速度を調整する調整部を有することを特徴とする。
【発明の効果】
【０００７】
上記構成によれば、回転ライトを小形で薄型にすることができ、回転数の減速調整も騒音を発生させることなく容易にできるとともに装置自体の長寿命化を実現することができる。
【発明を実施するための最良の形態】
【０００８】
以下、図面を参照して本発明の実施の形態を詳しく説明する。
図１は、本発明による小形回転ライトの実施の形態を示す断面図である。
ブラシレスモータのシャフトは開口部を有する円筒形の貫通シャフト８内の上部にＬＥＤ３が設置されている。光は軸方向に出射するようになっている。
貫通シャフト８はベアリング１０の内輪に固定され、ロータ４はベアリング１０の外輪に固定されている。貫通シャフト８はハウジング７に圧入固定されている。下段のベアリング１０とハウジング７の間にはコイルスプリング１２が嵌挿されている。
【０００９】
ロータ４の下部にはマグネット５が取り付けられ、マグネット５に対面する位置にコイル６が配置されている。コイル６に電流を流すことによりマグネット５との間で磁気回路が形成され、ロータ４は回転させられる。
ロータ４の上面には反射板２が設置されている。反射板２の取り付け面である基部２ａに対し、反射面２ｂは略４５度の傾きとなっており、基部２ａは回転中心から離れた位置に取り付けられ、反射面２ｂは貫通シャフト８の上部位置に配置される。
【００１０】
ＬＥＤ３から出射した光は、反射面２ｂで貫通シャフト８に対し略９０度の方向に反射させられる。したがってＬＥＤ３の光は、この小形回転ライト１を中心に水平方向３６０度すべての方角にロータ４の回転速度にしたがって出射される。
【００１１】
図２は、本発明による小形回転ライトの他の実施の形態を示す断面図である。
この実施の形態は、ＬＥＤ３を貫通シャフト８の奥に取り付け、ＬＥＤ３の前面に凸レンズ１３を配置したものであり、他の構成は図１と変わらない。
凸レンズ１３を加えることによりＬＥＤ３から出射される光は収束され、反射板２で反射される光は平行光となってより遠くに達することができる。なお、凹レンズを配置することにより、逆に発散させることができ、照射ターゲットに対し径の大きな照明を行うことも可能である。
【００１２】
図３は、本発明による小形回転ライトを駆動する駆動回路の実施の形態を示すブロック図である。図３（ａ）の回路例はホール素子２１によってロータの位置を検知することによりコイル１６に流れる電流極性を切り換え、ホール素子２１の出力をＩＣ１５の入力端に接続するとともに並列にコンデンサ１４を接続し、ＩＣ１５出力によってブラシレスモータを駆動するものである。
ホール素子２１の一方の出力端子とコンデンサ１４の一方の接続端子の間とホール素子２１の他方の出力端子とコンデンサ１４の他方の接続端子の間にそれぞれボリューム抵抗１７および１８を設けることによりモータの起動トルク，電流の変化を小さく抑え、回路の安定性を損なうことなく回転数のバラツキを小さい範囲になるように調整できるものである。
【００１３】
この回路によってモータ毎、容易に異なる回転数に調整できる。回転数の減速調整は回路のボリューム抵抗で行うため、騒音の発生はなく、また耐久性にも優れている。
図３（ｂ）に図３（ａ）の等価回路を示す。
【００１４】
以上の実施の形態は、貫通シャフトにＬＥＤを内蔵させる例を示しているが、この貫通シャフトの下部から光ファイバを挿入し、外部の光を貫通シャフト内に導くことも可能である。また、光ファイバを複数本挿入し、各光ファイバには異なる色の光を導くことができ、光の色を自由に組み合わせることより、赤色，青色，さらに異なる色を合成した色などをそれぞれ異なったタイミングで出力するように光の色を演出するコントロールも可能である。
【００１５】
さらにボールベアリングを２個用いた例を示しているが、軸受けはボールベアリング１個でも本発明の構成を実現することができる。また、軸受けはすべり軸受けを用いても同様の効果が得られる。
【産業上の利用可能性】
【００１６】
センサ検知で異常を検出した場合に回転ライトを動作させて警告を行うセキュリティシステムなどに応用できる。
【図面の簡単な説明】
【００１７】
【図１】本発明による小形回転ライトの実施の形態を示す断面図である。
【図２】本発明による小形回転ライトの他の実施の形態を示す断面図である。
【図３】本発明による小形回転ライトを駆動する駆動回路の実施の形態を示すブロック図である。
【符号の説明】
【００１８】
１  小形回転ライト
２  反射板
３  ＬＥＤ（光源）
４  ロータ  
５  マグネット
６  コイル
７  ハウジング
８  貫通シャフト
９  リード線
１０  ベアリング
１１  光線
１２  スプリング
１３  凸レンズ
１４  コンデンサ
１５  ＩＣ回路
１６  コイル
１７，１８  ボリューム抵抗  
１９，２０  固定抵抗
【図１】
2007066543.tif 000003
【図２】
2007066543.tif 000004
【図３】
2007066543.tif 000005